(57)【要約】  【課題】降雨や風で土や種子が流失あるいは飛散しない屋上緑化法を、簡便かつ効率的に行うことができる方策を提供する。  【解決手段】屋上緑化用二重あるいは多重織物に、土や種子、堆肥、炭、セラミックス、水等を含む土壌を簡便に注入し、簡便かつ効率的に屋上緑化を行う。  【選択図】    なし【特許請求の範囲】
【請求項１】
屋上緑化用織物マットに、土壌を簡便に注入する工法。
【請求項２】
施工現場である屋上の耐重量性に対応して、袋状の二重又は多重織物で土壌注入後の厚さが５ｃｍ〜２０ｃｍであることを特徴とする屋上緑化用織物マットに土壌を注入する工法。
【請求項３】
注入する土壌は、植物の種子、土砂、堆肥、炭、セラミックス、ピートモス、凝固剤、パーライト、水等のうち少なくとも３種類以上を含むことを特徴とする請求項１ないし２の屋上緑化用織物マットへの土壌注入工法。
【請求項４】
土壌注入は、通常の土木用圧送ポンプで可能なことを特徴とする請求項１〜３の屋上緑化用織物マットへの土壌注入工法。
【請求項５】
土壌が注入される屋上緑化用マットには、土壌水分センサーを備え、土壌水分５０％〜８０％に制御することが可能であることを特徴とする請求項１〜２の屋上緑化用マットへの土壌注入工法。
【発明の詳細な説明】
【技術分野】
【０００１】
本発明は、ヒートアイランド現象対策として注目されている屋上緑化分野で、簡便に施工することができる屋上緑化用織物マットの土壌注入に関するものである。さらに詳しくは、本発明は、土壌を注入する屋上緑化用織物マットを用いるため、土砂の飛散や降雨時の土砂流出等の心配が無く、環境対策に適した屋上緑化を提供するものである。
【背景技術】
【０００２】
屋上緑化に対する要望は増加している。特に、ヒートアイランド現象が著しい都市部ではこの傾向が顕著である。現在一般的に行われている屋上緑化法は、特開２００３−３３９２４６号公報や特開２００３−３２５０３８号公報で知られているプランターあるいは合成樹脂製の枠内に土を入れて草木を育成する方法、あるいは、特開２００３−２６５０３２号公報で知られるコンクリートスラブと透水シート、及びその上に土砂を敷設する方法、特開２００２−３１５４３１号公報に知られる土壌、不織布、軽量材料、不織布、排水層からなる施工方法がある。しかしながら、いずれも土砂は露天に曝され、降雨での土砂及び種子の流失、風による土砂や種子の飛散などが解決すべき課題されている。また、晩秋から春先にかけては草木が枯れ、土砂や種子の飛散が著しくなる。このことから、土砂の流出や飛散が四季を通して無いような屋上緑化の開発が求められていた。
【０００３】
立体網状構造体を用いた屋上緑化用マットは、網目の大きさが１〜１０ｃｍ×１〜１０ｃｍであり、厚さが１〜５ｃｍであることから、土が流失しにくいことが知られている（特許文献１）。
【特許文献１】特開２００１−１４５４２２号公報
【０００４】
このように、屋上緑化では降雨や風による土砂や種子の流失や飛散を防ぐことが課題とされている。
【０００５】
また、土に植物の根がしっかり張るためには、土壌の厚さが５ｃｍ以上必要であること、屋根の重量負荷を少なくすること、さらには、容易に施工できることが求められていた。
【発明の開示】
【発明が解決しようとする課題】
【０００６】
以上のように、降雨や風で土壌の流失や飛散が無い袋状屋上緑化用織物マットに、施工性に優れた土壌注入工法を提供することが求められている。
【０００７】
土壌注入には特殊な装置を用いる必要が無く、地上５０ｍ程度の屋上へは通常の土木用圧送ポンプを用いることによって搬送可能な施工方法開発が必要である。
また、注入に際しては、袋状二重あるいは多重織物に直接注入可能であることが求められる。
さらに、施工後は、土壌水分を適正に保つために、予め土壌水分量センサーを屋上緑化用織物マット内に設置して、自動散水装置と併用することで、植物の生育を順調に行うことができる。
【０００８】
そこで、本発明では、上記の点に鑑みて、屋上緑化用二重あるいは多重織物マットに、土砂、種子、凝固剤、水等を含む土壌を注入し、四季を通じて土砂や種子の流失や飛散が無い屋上緑化を簡便かつ効率的に行うことを提供することを課題としている。
【課題を解決するための手段】
【０００９】
本発明は、上記の課題を解決するものとして、第１には、屋上緑化用織物マットを市販の防根シートの上に１ｃｍ〜３ｃｍの保水性マットを重ね、その上に敷設する。
【００１０】
また、第２には、上記の屋上緑化用織物マットは、二重あるいは多重織物で、生分解する繊維を用いて織った、または生分解しない繊維を用いて織った袋状の製品で、土壌注入後の厚さが５ｃｍ〜２０ｃｍであり、土壌水分計を敷設することも可能とすることを特徴とする。
【００１１】
そして、第３には注入する土壌は、施工現場の耐重量性を考慮して、土砂、種子、炭、セラミックス、パーライト、凝固剤、水等を少なくとも３種類以上適宜混合することを特徴とする。
【００１２】
第４には、上記の土壌は、地上約５０ｍまでの施工に対しては一般の土木用圧送ポンプを用いると注入可能であり、約１００ｍの施工現場では、途中に補助ポンプを敷設することで施工が可能であることを特徴とした、屋上緑化用織物マットへの土壌注入工法を提供する。
【発明の効果】
【００１３】
以上詳しく説明したとおり、本発明によって、屋上緑化用織物マットに土壌を注入することで、簡便かつ効率的な屋上緑化を行うことのできる方策が提供される。
【発明を実施するための最良の形態】
【００１４】
本発明は上記のとおりの特徴を持つものであるが、以下にその実施の形態について説明する。
【００１５】
本発明の特徴を実現するための形態としては、例えば以下のように例示することができる。
【００１６】
（１）土砂や種子、堆肥、炭、セラミックス、ピートモス、凝固剤、水等を含む土壌を注入することが可能な、二重あるいは多重織物マットを施工現場に敷設する。
【００１７】
（２）屋上緑化用織物マットは、たて糸密度及びよこ糸密度を変えることによって、緑化植物の茎の太さに対応することができる。さらに、土壌水分計をマット内に設置し、自動散水装置と併用することで、土壌中の水分量を制御することができる。
【００１８】
（３）建物の耐重量性に対応すること、あるいは播種する植物の種類によって、土壌注入後のマット厚を５ｃｍ〜２０ｃｍとすることができる屋上緑化用織物マットを敷設することができる。
【００１９】
（３）のマットへの土壌注入は、地上約５０ｍまでは通常の土木用圧送ポンプを用いて可能であり、地上約１００ｍまでは、中間に補助装置を併用することで注入が可能である。
【００２０】
このように、地上から土壌を敷設現場に圧送することができるので、施工を簡便かつ効率的に行うことができる。さらに、織物マットに注入された土壌は、四季を通じて降雨や風で流失や飛散が無い屋上緑化を行うことができる。
【００２１】
本発明で得られた屋上緑化用織物マットへの土壌注入工法は、環境保全を図り、ヒートアイランド現象の低減を図る屋上緑化製品あるいは工法として提供することができる。
【００２２】
次に、本発明を実施例及び比較例によりさらに詳細に説明するが、本発明はこれらの例に限定されるものではない。
【実施例１】
【００２３】
群馬県桐生市天神町の群馬大学工学部建設工学科棟屋上に、平成１５年７月１５日、厚さ１ｃｍ、２ｃｍ、３ｃｍの保水シートを敷き、その上に、生分解性繊維を用いた屋上緑化用袋状二重織物マット、幅１８５ｃｍ、長さ１５ｍを敷設した。（図２）
【００２４】
次いで、地上から土木用圧送ポンプを用いて、約２４ｍ上の敷設マットに土壌を充填した。充填は、マットの一端からノズルで注入することで行った。充填速度は７５リットル／分、充填量はマットの厚さ６ｃｍとした。平坦な敷設現場であるにもかかわらず、マットの一端から他端まで均一に行うことができた。充填後、温度計を設置した。（図２）
【００２５】
充填土壌の成分は、土砂、芝・コスモス等植物の種子、堆肥、炭、セラミックス、ピートモス、凝固剤、水を現場で調合して用いた。
【００２６】
施工後１週間で発芽が見られた。さらに、１週間経過すると、本葉の成長が見られた。  
【００２７】
この間、夕立があったにもかかわらず、土砂や種子の流失はほとんど観察されなかった。
【００２８】
８月下旬からコスモスが咲き、これは１１月初旬まで継続的に花を咲かせた。
【００２９】
屋上緑化用織物マット上部とマット下部の屋上コンクリート部温度の変化を図３に示す。また、未施工部のコンクリート表面温度を合わせて示す。
【００３０】
このように、屋上緑化織物マット下部のコンクリート表面温度は未施工部の温度と比較して約２０℃異なる。
【００３１】
このように、簡便に施工することができる屋上緑化用マットの効果は著しく、ヒートアイランド現象の低減を図ることができる。
その他、次のような点が明らかになった。
（１）長雨や強雨が降っても土の流出は起こらず、排水口に問題を生じることはなかった。
（２）強雨時でも土の飛散は全くなかった。
（３）夏季屋上表面の温度を大幅に低下させ、緑化部直下の室内温度を低下させることが実証された。
（４）既設建物屋上で緑化工事を行ったため、緑化部の荷重が制限を受け、植生マットの厚さを６ｃｍから１５ｃｍの範囲に収めざるを得なかった。このように薄い厚さの土壌で、毎年植生の成長を維持していくには、微生物の力を借りて、自動的に土壌の力を復元させる必要がある。本工法ではこのような工夫を講じており、維持管理が容易である。
【図面の簡単な説明】
【００３２】
【図１】植生マットの説明
【図２】屋上緑化織物マット設置図
【図３】屋上緑化織物マット設置時の温度変化
【図１】
2005198532.tif 000002
【図２】
2005198532.tif 000003
【図３】
2005198532.tif 000004